(57)【要約】マス・ストレージ及び加入者識別モジュールはフレーム及び、フレームにより支持されているマス・ストレージ装置を（８１０）を備えている。モジュールはさらに、フレームによって支持され取り外し可能な形式でスマート・カードと接続するように適合した第１のコネクタ（８２０）、フレームに支持され電気的にマス・ストレージ装置（８１０）と第１のコネクタに接続され、電子装置に取り外し可能な形式で接続するように適合している第２のコネクタ（８３０）を備えている。モジュールはさらに、マス・ストレージ装置に記憶された情報への、第２のコネクタ（８３０）を介するアクセスを、第１のコネクタ（８２０）に接続された例えばＳＩＭカードのようなスマート・カードの情報に基いて、制御するために適合しているインターフェース回路（８４０）を備えている。【選択図】なし
2010525632.tif 000002
【特許請求の範囲】
【請求項１】
マス・ストレージと加入者識別モジュールとを統合したモジュールであって、
フレームと、前記フレームによって支持されているマス・ストレージ装置と、
前記フレームによって支持されスマート・カードに取り外し可能な形式で接続するように適合している第１のコネクタと、
前記フレームによって支持され電気的に前記マス・ストレージ装置と前記第１のコネクタに接続され電子装置に取り外し可能な形式で接続するように適合している第２のコネクタと、
前記マス・ストレージ装置に記憶された情報への前記第２のコネクタを介するアクセスを前記第１のコネクタに接続されたスマート・カード内の情報に基づいて制御するように適合しているインターフェース回路と
を備えることを特徴とするモジュール。
【請求項２】
前記インターフェース回路はさらに、前記第２のコネクタを介して情報を受信し、前記第１のコネクタを介して受信した情報に基づいて前記受信した情報を暗号化し、及び、前記マス・ストレージ装置に暗号化された前記受信した情報を記憶するように適合していることを特徴とする請求項１に記載のモジュール。
【請求項３】
前記インターフェース回路は、前記マス・ストレージデバイスから情報を取得し、前記第１のコネクタを介して受信した情報に基づいて前記取得した情報を復号し、及び、前記取得した情報の前記復号に応じて前記第２のコネクタを介して通信するように適合していることを特徴とする請求項２に記載のモジュール。
【請求項４】
前記インターフェース回路は、第２のコネクタを介して復号された前記取得した情報を転送するように適合していることを特徴とする請求項３に記載のモジュール。
【請求項５】
前記インターフェース回路は、前記取得した情報を復号するためにエラーを検出し、及び、前記エラーの検出に応じて前記第２のコネクタを介してエラー・メッセージを転送するように適合していることを特徴とする請求項３に記載のモジュール。
【請求項６】
前記インターフェース回路はさらに、前記第１のコネクタに接続されているスマート・カード内の情報への前記第２のコネクタを介するアクセスを提供するよう適合していることを特徴とする請求項１に記載のモジュール。
【請求項７】
前記第１のコネクタは、前記フレームによって支持され電気的にＳＩＭカードと接続するように適合しており、
前記インターフェース回路は、前記マス・ストレージ装置に記憶された情報への前記第２のコネクタを介するアクセスを、前記第１のコネクタに接続されているＳＩＭカード内の情報に基づいて制御するように適合していることを特徴とする請求項１に記載のモジュール。
【請求項８】
電子装置であって、
請求項１に記載のモジュールと取り外し可能な形式で接続され、相互に機能するように適合したことを特徴とする電子装置。
【請求項９】
マス・ストレージ及び加入者識別モジュールとともに使用する電子装置であって、
前記マス・ストレージ及び加入者識別モジュールのコネクタに取り外し可能な形式で接続するように適合したコネクタと、
前記マス・ストレージ及び加入者識別モジュールのマス・ストレージ装置から第１の情報を受信し、前記マス・ストレージ及び加入者識別モジュールに接続されているスマート・カードから第２の情報を受信し、及び、前記第２の情報に基づいて前記第１の情報を復号するように適合しているインターフェース回路と
を備えることを特徴とする電子装置。
【請求項１０】
前記インターフェース回路はさらに、前記第２の情報に基づいて第３の情報を暗号化し、暗号化された前記第３の情報を前記マス・ストレージ及び加入者識別モジュールに転送するように適合していることを特徴とする請求項９に記載の電子装置。
【請求項１１】
前記スマート・カードには、ＳＩＭカードも含まれることを特徴とする請求項９に記載の電子装置。
【請求項１２】
スマート・カードと取り外し可能なマス・ストレージ及び加入者識別モジュールを接続するステップと、
前記取り外し可能なマス・ストレージ及び加入者識別モジュールと電子装置を接続するステップと、
前記スマート・カードに記憶された第２の情報に基づいて前記電子装置から前記マス・ストレージ及び加入者識別モジュールに記憶されている第１の情報にアクセスするステップと
を有することを特徴とする方法。
【請求項１３】
前記スマート・カードに記憶された第２の情報に基づいて前記電子装置から前記マス・ストレージ及び加入者識別モジュールに記憶されている第１の情報にアクセスするステップは、
前記マス・ストレージ及び加入者識別モジュールにおいて前記第２の情報に基づいて前記第１の情報を復号するステップと、
前記復号した第１の情報を前記電子装置に送信するステップと
を有することを特徴とする請求項１２に記載の方法。
【請求項１４】
前記マス・ストレージ及び加入者識別モジュールにおいて前記第１の情報を復号するためにエラーを検出するステップと、
前記エラーの検出に応じて前記マス・ストレージ及び加入者識別モジュールからのエラー・メッセージを前記電子装置に転送するステップと
を有することを特徴とする請求項１３に記載の方法。
【請求項１５】
前記スマート・カードに記憶された第２の情報に基づいて前記電子装置から前記マス・ストレージ及び加入者識別モジュールに記憶されている第１の情報にアクセスするステップは、
前記第１の情報と前記第２の情報を前記マス・ストレージ及び加入者識別モジュールから前記電子装置に転送するステップと、
前記電子装置において前記第２の情報に基づいて前記第１の情報を復号するステップと
を有することを特徴とする請求項１２に記載の方法。
【請求項１６】
前記電子装置から前記マス・ストレージ及び加入者識別モジュールに第３の情報を転送するステップと、
前記第２の情報に基づいて前記マス・ストレージ及び加入者識別モジュールのマス・ストレージ装置に前記第３の情報を記憶するステップと
を有することを特徴とする請求項１２に記載の方法。
【請求項１７】
前記第２の情報に基づいて前記マス・ストレージ及び加入者識別モジュールのマス・ストレージ装置に前記第３の情報を記憶するステップは、
前記第２の情報に基づいて前記第３の情報を暗号化するステップ
を有することを特徴とする請求項１６に記載の方法。
【請求項１８】
前記第２の情報に基づいて前記第３の情報を暗号化するステップは、前記マス・ストレージ及び加入者識別モジュールにおいて実行されることを特徴とする請求項１７に記載の方法。
【請求項１９】
前記第２の情報に基づいて前記第３の情報を暗号化するステップは、前記電子装置において実行されることを特徴とする請求項１７に記載の方法。
【請求項２０】
前記スマート・カードには、ＳＩＭカードも含まれることを特徴とする請求項１２に記載の方法。
【発明の詳細な説明】
【技術分野】
【０００１】
本発明は米国特許出願第２００４／１０／９８３，８００号明細書に開示されている発明についての一部継続出願であり、この開示のすべてを本明細書に援用する。
【０００２】
本発明は、電子装置及びそのアクセサリ、特に無線電話機、パーソナル・デジタル・アシスタント、ゲーム機及びラップトップ・コンピュータのような電子装置とともに使用される周辺機器に関する。
【背景技術】
【０００３】
ラップトップ・コンピュータ、ノートブック・コンピュータ、ポケット・ＰＣ、携帯情報端末（ＰＤＡ）及びゲーム機等のようなコンシューマ電子装置は、現在、共通の無線通信機能を備えている。例えば、多くのラップトップ・コンピュータやノートブック・コンピュータは、現在、例えばＷｉＦｉのような無線ローカル・エリア・ネットワークと通信するように適合した無線通信回路を備えている。ＰＤＡやラップトップのようなデバイスは、例えば、スペシャル・パーパス・カード（特定用途カード）を使用することでさらに、例えばＧＳＭまたはＩＳ−９５ＣＤＭＡのような公衆セルラー・ネットワークと通信することができる。ラップトップ・コンピュータで使用されるＧＳＭ互換無線カードとしては、例えば、ソニー・エリクソン・モバイル・コミュニケーションズ・エービーにより製造されたＧＣ−８２セルラーＰＣカードがある。
【発明の概要】
【発明が解決しようとする課題】
【０００４】
いくつかの携帯電子装置は、現在、ビデオファイルや音楽ファイルのような大容量データを保存するためのマス・ストレージ（大容量記憶）装置を使用している。例えば、ｉＰｏｄ（登録商標）のような携帯音楽プレイヤーはハード・ディスク・ドライブ（ＨＤＤ）を実装しており、現在、サムソン・エレクトロニクスはＨＤＤを備えている携帯電話機を製造している。次世代携帯電話機や、例えば、無線ＰＤＡのような他の無線デバイスでは、例えば、デジタル・スチル・カメラ、ビデオ・レコーダー及びオーディオレコーダー等の重要なデジタル・メディア機能を備えているものが増えている。そのため、今後はマス・ストレージ機能を備えることが望ましくなるだろう。携帯音楽プレイヤーで使用されているような小さなＨＤＤをコネクタ化して接続できるようにすることは知られている。例えば、デスクトップ・コンピュータまたはラップトップ・コンピュータに備えられているマス・ストレージ装置のような他のデバイスと互換性のあるコネクタで着脱可能とすることができる。これにより、ＨＤＤとの間で例えばＭＰ３ファイルのようなデータの転送が可能になる。この簡便さは、例えば携帯音楽プレイヤーとホーム・ステレオ・システムの間のようなデバイス間のデータの移動をユーザに可能にしている。
【課題を解決するための手段】
【０００５】
本発明のいくつかの実施形態に従うと、マス・ストレージ及び加入者識別モジュール（ＳＩＭ）は、フレーム（筐体）とフレームに支持されているマス・ストレージ装置を備えている。前記モジュールはさらに、フレームに支持されスマート・カードに取り外し可能な形式で接続するように適合している第１のコネクタと、フレームに支持され電気的にマス・ストレージと第１のコネクタに結合され電子装置に取り外し可能な形式で接続するように適合している第２のコネクタを備えている。前記モジュールはさらに、第１のコネクタに結合されている例えばマス・ストレージ装置に記憶されている情報への第２のコネクタを介するアクセスを、ＳＩＭカードのようなスマート・カードに含まれる情報に基づいて制御するために適合しているインターフェース回路を備えている。
【０００６】
いくつかの実施形態で、インターフェース回路は、第２のコネクタを介して情報を受信すること、第１のコネクタを介して受信した情報に基づいて、第２のコネクタを介して受信した情報を暗号化すること、及び、その暗号化した情報をマス・ストレージ装置に記憶することに適合している。インターフェース回路はさらに、マス・ストレージ装置から情報を取得すること、第１のコネクタを介して受信した情報に基づいてマス・ストレージ装置から取得した情報を復号すること、取得した情報の復号に応じて第２のコネクタを介して通信することに適合していてもよい。インターフェース回路は受信し復号した情報を第２のコネクタを介して転送することに適合していてもよい。いくつかの実施形態において、インターフェース回路は、受信した情報を首尾よく復号するためにエラーを検出すること、及び、エラーの検出に応じて第２のコネクタを介してエラー・メッセージを転送することに適合していてもよい。インターフェース回路はさらに、第１のコネクタに接続されているスマート・カード内の情報に、第２のコネクタを介してアクセスできるように適合していてもよい。
【０００７】
本発明の実施形態ではさらに、マス・ストレージ及び加入者識別モジュールとともに使用するために適合している電子装置は、マス・ストレージ及び加入者識別モジュールのコネクタに取り外し可能な形式で接続するために適合しているコネクタを備えている。その電子装置はさらに、マス・ストレージ及び加入者識別モジュールのマス・ストレージ装置から第１の情報を受信すること、マス・ストレージ及び加入者識別モジュールに結合されたスマート・カードからの第２の情報を受信すること、及び、第２の情報に基づいて第１の情報を復号することに適合しているインターフェース回路を備えている。インターフェース回路はさらに、第２の情報に基づいて第３の情報を暗号化すること、及び、暗号化された第３の情報をマス・ストレージ及び加入者識別モジュールヘ記憶するために転送することに適合していてもよい。
【０００８】
本発明のいくつかの実施形態では、マス・ストレージ及び加入者識別モジュールに取り外し可能な形式でスマート・カードを結合する方法を提供している。取り外し可能なマス・ストレージ及び加入者識別モジュールは電子装置と結合している。電子装置は、スマート・カードに記憶されている第２の情報に基づいて、マス・ストレージ及び加入者識別モジュールに記憶されている第１の情報にアクセスする。スマート・カードに記憶されている第２の情報に基づいて、電子装置からマス・ストレージ及び加入者識別モジュールに記憶されている第１の情報にアクセスするときに、マス・ストレージ及び加入者識別モジュールにおいて、第２の情報に基づいて第１の情報を復号し、復号した第１の情報を電子装置に転送してもよい。マス・ストレージ及び加入者識別モジュールにおいて、第１の情報を首尾よく復号するためにエラーを検出し、それに対応してマス・ストレージ及び加入者識別モジュールから電子装置にエラー・メッセージを転送する方法を含んでいてもよい。スマート・カードに記憶された第２の情報に基づいて電子装置からマス・ストレージ及び加入者識別モジュールに記憶された第１の情報にアクセスするときに、マス・ストレージ及び加入者識別モジュールから電子装置に、第１の情報と第２の情報を転送し、電子装置において第２の情報に基づいて第１の情報を復号してもよい。
【０００９】
電子装置からマス・ストレージ及び加入者識別モジュールに第３の情報を転送してもよく、第２の情報に基づいてマス・ストレージ及び加入者識別モジュールのマス・ストレージ装置に第３の情報を記憶してもよい。第２の情報に基づいてマス・ストレージ及び加入者識別モジュールのマス・ストレージ装置に第３の情報を記憶するときに、第２の情報に基づいて第３の情報を暗号化してもよい。
【図面の簡単な説明】
【００１０】
【図１】図１は、本発明のいくつかの実施形態に従った無線ハンドセットに備えられた取り外し可能なマス・ストレージ及び加入者識別モジュールを示した図である。
【図２】図２は、スマート・カードが装着された図１において示された取り外し可能なマス・ストレージ及び加入者識別モジュールを示す図である。
【図３】図３は、スマート・カードが取り外された図１において示された取り外し可能なマス・ストレージ及び加入者識別モジュールを示す図である。
【図４】図４は、本発明の実施形態に従ったマス・ストレージ及び加入者識別モジュールを示すブロック図である。
【図５】図５は、本発明のいくつかの実施形態に従ったマス・ストレージ及び加入者識別モジュールとともに使用するために適合した電子装置を示すブロック図である。
【図６】図６は、本発明の実施形態に従ったＰＤＡに装着されている図１において示された取り外し可能なマス・ストレージ及び加入者識別モジュールを示す図である。
【図７】図７は、本発明の実施形態に従ったラップトップ・コンピュータに装着されている図１において示された取り外し可能なマス・ストレージ及び加入者識別モジュールを示す図である。
【図８】図８は、本発明の実施形態に従ったアクセス制御を提供するマス・ストレージ及び加入者識別モジュールを示すブロック図である。
【図９】図９は、マス・ストレージ及び加入者識別モジュールとともに使用するために及び、本発明のいくつかの実施形態に従ったアクセス制御を支持するために適合した電子装置を示すブロック図である。
【発明を実施するための形態】
【００１１】
本発明の詳細で例示的な実施形態を図面を参照しながら説明する。しかし、本発明は、多くの異なった形式で実施してもよく、以下に示す４つの実施形態に限定されるものではない。これらの実施形態を提供することで、この開示は十分で完全になり、当業者には本発明の目的を十分に理解していただくことができるだろう。図面に描写されている特別で例示的な実施形態の詳細な説明で使用されている専門用語は、本発明を制限することを意図するものではない。図面に示されている本発明の実施形態の構成要素に対して数字が付与されている。
【００１２】
明細書で使用されている、単数表現“ａ”、“ａｎ”および“Ｔｈｅ”は、他に断りが無い限り、複数表現を含んでいる。“含む”、“備える”、“含んでいる”及び“備えている”という言葉は、この明細書で使用するときは、言及する特徴、数字、ステップ、操作、要素及び構成物等の存在を記載するためのものであって、その他の１つ以上の特徴、数字、ステップ、操作、要素及び構成物等が存在すること、または、それらを追加することを排除するものではないということを理解していただけるだろう。また、ある要素が他の要素に“接続”される、または、“結合”されると言及しているときは、他の要素に直接接続してもよく、その間にある要素をはさんで接続するもしくは結合してもよいことも理解していただけるだろう。さらに、本明細書において使用している“接続”される、または、“結合”されるという言葉は、ワイヤレスに接続する、または、結合するということを含んでいてもよい。本明細書で使用している、“及び／または”という言葉は、並べられている関係のある項目から少なくとも１つ以上の項目を選択するときのすべての組み合わせを含んでいる。
【００１３】
他には特に定義しないが、技術用語や科学用語を含む本明細書で使用されるすべての用語は、この技術分野に属する当業者において、共通に理解されている用語と同じ意味である。一般的な辞書によって定義されているような用語は、関連技術分野における意味と矛盾しない意味を持つものとして解釈されるべきであることは理解していただけるだろう。そして、本明細書において改めて定義されていない限り、一般的な意味を超えて解釈されることはないだろう。
【００１４】
コネクタ化されたＨＤＤのような形式で提供されるマス・ストレージと、無線環境のために一般的に望まれている加入者識別機能を統合することにより、無線ハンドセット（無線電話機）、及び、無線通信機能を持つＰＤＡならびにコンピュータのような無線デバイスの機能が高められるということを、本発明のいくつかの実施形態では実現している。いくつかの実施形態では、高められたこの機能は、マス・ストレージと、無線ハンドセットまたは無線通信機能を持つコンピュータのような電子装置に取り外し可能な形式で結合するように適合した加入者識別モジュール（部品）によって提供されている。加入者識別機能はモジュールのようなものに組み込まれていてもよく、本発明のさらなる観点に従う加入者識別機能は、マス・ストレージと、加入者識別機能を実行するスマート・カード（例えば、ＧＳＭ・ＳＩＭカード）を結合できるように適合した加入者識別モジュールによって提供されてもよい。加入者識別機能はさらに、例えば、モジュールに記憶された情報の暗号化及び復号のためにスマート・カードの情報を使用することによって、記憶された情報へのアクセスの制御をサポートするために使用されてもよい。
【００１５】
図１を参照すると、本発明のいくつかの実施形態では電子装置、特に、ハンドセット１００は取り外し可能なマス・ストレージ、および、マス・ストレージ及び加入者識別機能を実行する加入者識別モジュール１１０を結合するように適合されうる。図中に示されている実施形態では、モジュール１１０はＧＳＭ・ＳＩＭカードのようなスマート・カード１１２と結合するように適合している。そして、そのスマート・カード１１２は、モジュール１１０によって実行される加入者識別機能をサポートするように適合している。図に示されているモジュール１１０は、ベイ（スロット）１０２に挿入できるように適合しており、そのため、モジュール１１０のコネクタ１１３はハンドセット１００内の結合相手となるコネクタ（不図示）と嵌合する。スマート・カード１１２は、モジュール１１０上のクリップのような止め具アセンブリの中に保持されているように示されているが、本発明の多様な実施形態では、マス・ストレージ及び加入者識別モジュールは、スマート・カードを挿入するように適合しているスロット、開口、または、スマート・カードとモジュールの電気的な結合及び機械的な取り付けをサポートするその他の保持機構を備えていてもよいことは理解していただけるだろう。
【００１６】
図２、図３はマス・ストレージと加入者識別モジュール１１０のさらなる特徴を示した図である。図２ではスマート・カード１１２が描かれているが、図３ではスマート・カード１１２は描かれていない。モジュール１１０は、フレーム、特に、ハウジング（外装）１１５を備えている。それは、磁気記憶媒体（例えば、ＨＤＤ）、光学記憶媒体（例えば、光ディスク・ドライブ）及び、半導体記憶媒体（例えば、フラッシュ・メモリ）等を含むようなマス・ストレージ装置を支持している。ハウジング１１５は、さらにカード・エッジ・コネクタ１１３を備えている。それは、ハウジング１１５のエッジ・サイド（端部面）１１７に配置されており、図１のハンドセット１００のような電子装置の内側にあるマッチング・コネクタと嵌合する。ハウジング１１５はさらに第２のコネクタ１１８を備えている。それは、ハウジング１１５のメジャー・サイド（主要側面）１１６の上に配置された複数の接続端子１１４と、スマート・カード１１２と電気的に結合しそれを保持するように適合したクリップまたはスリーブ１１１を備えているように、ここでは示されている。特に、クリップ１１１はハウジング１１５のメジャー・サイド１１６を反転してもスマート・カード１１２を保持できるように適合している。そのため、接続端子１１４は、スマート・カード１１２上の相手側端子（不図示）との接続を保ちながら保持されている。本発明の他の様々な種類の実施形態では、スマート・カードを電気的に接続し保持するために、図１から３に描かれているものよりも幅広い種類の他の機械的な構造を使用してもよいことは、理解していただけるだろう。
【００１７】
図４は、本発明のさらなる実施形態に従ったマス・ストレージ及び加入者識別モジュール内の構成要素の例示的な配置を示している。マス・ストレージ及び加入者識別モジュール１１０’は、磁気記憶媒体（例えば、ＨＤＤ）、光学記憶媒体（例えば、光ディスク・ドライブ）及び半導体記憶媒体（例えば、フラッシュ・メモリ）等のようなマス・ストレージ装置４１０を備えている。モジュール１１０はさらに、デバイス・コネクタ４３０を介するマス・ストレージ装置４１０との通信をサポートするインターフェース回路４４０を備えている。デバイス・コネクタ４３０は、例えば、無線ハンドセット、ＰＤＡ、ラップトップ・コンピュータまたは似たような電子装置内にある結合相手のコネクタと嵌合するために適合している。デバイスのコネクタとして数多くの異なった形式を用いてもよいことは理解していただけるだろう。その形式としては、例えば、図１から３に示されているようなカード・タイプのコネクタであってもよく、ユニバーサル・シリアル・バス（ＵＳＢ）コネクタのようなケーブル・タイプのコネクタであってもよい。インターフェース回路４４０は、例えば、バッファ回路、キャッシュ回路、信号処理回路、及び、マス・ストレージ装置４１０との間のデータ転送をサポートする他の回路等を備えていてもよい。
【００１８】
スマート・カード・コネクタ４２０、すなわち、スマート・カード上の端子と嵌合するように適合したコネクタは、さらに、電気的にデバイス・コネクタ４３０と結合している。図４に破線で示されているように、両者を直接結合してもよい。例えば、スマート・カード・コネクタ４２０のピンは、デバイス・コネクタ４３０のピンと直接ワイヤで結合してもよい。他の方法としては、スマート・カード・コネクタ４２０は、デバイス・コネクタ４３０にインターフェース回路４４０を介して結合してもよい。インターフェース回路４２０は、例えば、スマート・カード信号のバッファを提供しうる。
【００１９】
図５は、本発明の実施形態に従ったマス・ストレージ及び加入者識別モジュールを使用するために適合した電子装置５００を示している。図示されているように、デバイス５００は、例えば、無線ハンドセット、無線通信機能を持つコンピュータ、または、他の電子装置であってもよく、無線通信機能部（ワイヤレス・アプリケーション・サーキュリティ）５１０を備えている。無線通信機能部５１０は、例えば、ラジオ・トランシーバ、マイクロプロセッサ、メモリ、及び、デバイス５００の無線通信機能をサポートするために必要な他の回路要素を備えていてもよい。デバイス５００はさらに、無線通信機能部５１０と通信するための及び、取り出し可能なマス・ストレージ及び加入者識別モジュール１１０’’とモジュール・コネクタ５３０を介して通信するためのインターフェース部５２０を備えている。そのため、例えば、無線通信機能部５１０とモジュール１１０’’内のマス・ストレージ（例えば、ＨＤＤ）の間で、データが転送されうる。また、加入者識別機能は、モジュール１１０’’の補足的な回路要素（例えば、スマート・カード）とともに無線通信機能部５１０によって実行されてもよい。ユーザ認証または他の安全機能のような加入者識別機能は、当業者にはよく知られているため、さらなる詳細な説明は省略する。
【００２０】
図１とあわせて、図６と図７は、本発明のいくつかの実施形態に従ったマス・ストレージ及び加入者識別モジュールによって提供可能な有利な点を示している。特に、図１から図３のマス・ストレージ及び加入者識別モジュール１００は、図１に示されている無線ハンドセット１００以外のデバイスに対しても互換性を持つことが可能である。例えば、図６は、モジュール１１０を挿入するために適合したスロット６０２を備えるＰＤＡ５００を示している。図７は、同様のスロット７０２を備えるラップトップ・コンピュータ７００を示している。ゲーム機のような他の互換性のあるデバイスに、本発明の目的にしたがって同様に適合されうることも理解していただけるだろう。実現すれば、例えば、モジュール１１０のスマート・カード１１２内に記憶された加入者識別情報に従って、そのようなデバイスの間でオーディオやビデオなどのファイルの転送が可能になる。したがって、ユーザが個人で所有するコンテンツや契約したサービスの両方をより簡単にデバイス間で移動することが可能になるだろう。より多くのデバイスがワイヤレス通信を実装するようになるとき、このことは特に好ましくなるだろう。
【００２１】
本発明のさらなる実施形態によれば、ＳＩＭのようなスマート・カードに記憶された情報は、上記で説明したマス・ストレージ及び加入者識別モジュールに記憶された情報へのアクセスを制御するために使用されてもよい。例えば、図８は、磁気記憶媒体（例えば、ＨＤＤ）、光学記憶媒体（例えば、光ディスク・ドライブ）及び半導体記憶媒体（例えば、フラッシュ・メモリ）等のようなマス・ストレージ装置８１０を備えるマス・ストレージ及び加入者識別モジュール１１０’’’を示した図である。モジュール１１０’’’はさらに、例えば無線ハンドセット、ＰＤＡ、または、ラップトップ・コンピュータ等のような電子装置内の結合相手のコネクタと嵌合するように適合した、デバイス・コネクタ８３０を通してのマス・ストレージ装置８１０との通信をサポートしている暗号化及び復号化インターフェース回路８４０を備えている。デバイス・コネクタは、例えば、図１から図３に示されているようなカード形式のコネクタ、または、ユニバーサル・シリアル・バス（ＵＳＢ）コネクタのようなケーブル形式のコネクタを含む、様々な他の形式であってもよいことは理解していただけるだろう。スマート・カード・コネクタ８２０、すなわち、スマート・カード上の接続端子と嵌合するように適合したコネクタはさらに、デバイス・コネクタ８３０と電気的に結合される。スマート・カードに記憶された識別情報は、デバイス・コネクタ８３０に接続されたデバイスに直接転送してもよい。例えば、スマート・カード・コネクタ８２０のピンは、デバイス・コネクタ８３０のピンと直接ワイヤで接続してもよく、暗号化及び復号化インターフェース回路８４０を介して転送してもよい。
【００２２】
図示された実施形態では、暗号化及び復号化インターフェース回路８４０は、スマート・カード・コネクタ８２０に接続されたスマート・カードから受信した加入者識別情報や暗号化キー等のような情報に従って、デバイス・コネクタ８３０を介して受信される情報を暗号化することによってアクセス制御を提供するよう適合している。暗号化及び復号化インターフェース回路８４０は、マス・ストレージ装置８１０に暗号化された情報を記憶してもよく、その結果、記憶された情報へは、情報を暗号化するために使用されたスマート・カードがないとアクセスできないようにすることができる。例えば、デバイス・コネクタ８３０に結合されたデバイスに記憶した情報を転送するためには、暗号化及び復号化インターフェース回路８４０は、マス・ストレージ装置８１０から暗号化された情報を取得し、スマート・カード・コネクタ８２０に結合されたスマート・カードから受信した暗号化情報に従って、それを復号し、デバイス・コネクタ８３０に接続されているデバイスに復号した情報を転送する。スマート・カードが不適当であるか、または、接続されていない場合、暗号化及び復号化インターフェース回路８４０は、適切に復号するために、（例えば、チェックサムまたはその他の認証技術を使用して）エラーを検出し、デバイス・コネクタ８３０に接続されているデバイスにエラー・メッセージを送信する。他の方法としては、暗号化及び復号化インターフェース回路８４０は、不正確に復号した情報を接続されたデバイスに転送してもよい。そのデバイスは、その情報を解読できないであろう。
【００２３】
本発明のさらなる実施形態では、同様のアクセス制御の運用が、マス・ストレージ及び加入者識別モジュールではなく、接続されたデバイスにおいて実施される。図９を参照すると、本発明のいくつかの実施形態に従った電子装置９００は無線通信機能部９１０を備えている。無線通信機能部９１０は、例えば、ラジオ・トランシーバ、マイクロプロセッサ、メモリ及び、デバイス９００の無線通信機能をサポートするその他の回路要素を備えていてもよい。デバイス９００はさらに、無線通信機能部９１０との通信及び、取り外し可能なマス・ストレージ及び加入者識別モジュール１１０’’とのモジュール・コネクタ９３０を介しての通信のために適合している暗号化及び復号化インターフェース部９２０を備えている。特に、暗号化及び復号化インターフェース部９２０は、モジュール１００’’に接続されているスマート・カードから暗号化情報（例えば、加入者識別情報、暗号化キー）を取得し、暗号化情報にしたがって無線通信機能部９１０から受信した情報を暗号化し、記憶するために情報をモジュール１００’’に転送することに適合していてもよい。
【００２４】
暗号化及び復号化インターフェース回路９２０は、同様の方法でそのような記憶された情報を取得してもよい。特に、暗号化及び復号化インターフェース回路９２０は、モジュール１００’’に接続されているスマート・カードに含まれている暗号化情報に加えて、モジュール１００’’に記憶されている暗号化されている情報を取得してもよく、スマート・カードから受信した暗号化情報に基づいて暗号化されている情報を復号してもよい。スマート・カードから受信した情報はさらに、モジュール１００’’に記憶されている情報に対する暗号化及び、復号化の動作なしに、無線通信（例えば、ネットワーク・アクセス）に関するセキュリティ機能をサポートするような他の目的に使用してもよい。
【００２５】
本発明の例示的な実施形態を図面と明細書に開示してきた。特別な用語を使用しているが、それらを一般的な用語として使用しており、限定する目的では使用していない。本発明の目的は、以下の特許請求の範囲により定義される。
【図１】
2010525632.tif 000003
【図２】
2010525632.tif 000004
【図３】
2010525632.tif 000005
【図４】
2010525632.tif 000006
【図５】
2010525632.tif 000007
【図６】
2010525632.tif 000008
【図７】
2010525632.tif 000009
【図８】
2010525632.tif 000010
【図９】
2010525632.tif 000011
【手続補正書】
【提出日】平成21年1月30日(2009.1.30)
【手続補正１】
【補正対象書類名】特許請求の範囲
【補正対象項目名】全文
【補正方法】変更
【補正の内容】
【特許請求の範囲】
【請求項１】
マス・ストレージと加入者識別モジュールとを統合したモジュールであって、
フレームと、前記フレームによって支持されているマス・ストレージ装置と、
前記フレームによって支持されスマート・カードに取り外し可能な形式で接続するように適合している第１のコネクタと、
前記フレームによって支持され電気的に前記マス・ストレージ装置と前記第１のコネクタに接続され電子装置に取り外し可能な形式で接続するように適合している第２のコネクタと、
前記フレームによって支持され、前記第２のコネクタを介して情報を受信し、前記第１のコネクタを介して受信した情報に基づいて前記受信した情報を暗号化し、及び、前記マス・ストレージ装置に暗号化された前記受信した情報を記憶するように適合しているインターフェース回路と
を備えることを特徴とするモジュール。
【請求項２】
前記インターフェース回路は、前記マス・ストレージデバイスから情報を取得し、前記第１のコネクタを介してスマート・カードから受信した情報に基づいて前記取得した情報を復号し、及び、前記取得した情報の前記復号に応じて前記第２のコネクタを介して通信するように適合していることを特徴とする請求項１に記載のモジュール。
【請求項３】
前記インターフェース回路は、第２のコネクタを介して復号された前記取得した情報を転送するように適合していることを特徴とする請求項２に記載のモジュール。
【請求項４】
前記インターフェース回路は、前記取得した情報を復号するためにエラーを検出し、及び、前記エラーの検出に応じて前記第２のコネクタを介してエラー・メッセージを転送するように適合していることを特徴とする請求項２に記載のモジュール。
【請求項５】
前記インターフェース回路はさらに、前記第１のコネクタに接続されているスマート・カード内の情報への前記第２のコネクタを介するアクセスを提供するよう適合していることを特徴とする請求項１に記載のモジュール。
【請求項６】
前記第１のコネクタは、前記フレームによって支持され電気的にＳＩＭカードと接続するように適合しており、
前記インターフェース回路は、前記マス・ストレージ装置に記憶された情報への前記第２のコネクタを介するアクセスを、前記第１のコネクタに接続されているＳＩＭカード内の情報に基づいて制御するように適合していることを特徴とする請求項１に記載のモジュール。
【請求項７】
スマート・カードと取り外し可能なマス・ストレージ及び加入者識別モジュールを接続するステップと、
前記取り外し可能なマス・ストレージ及び加入者識別モジュールと電子装置を接続するステップと、
前記マス・ストレージ及び加入者識別モジュールにおいて前記第２の情報に基づいて前記第１の情報を復号し、前記復号した第１の情報を前記電子装置に送信することによって、前記スマート・カードに記憶された第２の情報に基づいて前記電子装置から前記マス・ストレージ及び加入者識別モジュールに記憶されている第１の情報にアクセスするステップと
を有することを特徴とする方法。
【請求項８】
前記マス・ストレージ及び加入者識別モジュールにおいて前記第１の情報を復号するためにエラーを検出するステップと、
前記エラーの検出に応じて前記マス・ストレージ及び加入者識別モジュールからのエラー・メッセージを前記電子装置に転送するステップと
を有することを特徴とする請求項７に記載の方法。
【請求項９】
前記電子装置から前記マス・ストレージ及び加入者識別モジュールに第３の情報を転送するステップと、
前記第２の情報に基づいて前記マス・ストレージ及び加入者識別モジュールのマス・ストレージ装置に前記第３の情報を記憶するステップと
を有することを特徴とする請求項７に記載の方法。
【請求項１０】
前記第２の情報に基づいて前記マス・ストレージ及び加入者識別モジュールのマス・ストレージ装置に前記第３の情報を記憶するステップは、
前記第２の情報に基づいて前記第３の情報を暗号化するステップ
を有することを特徴とする請求項９に記載の方法。
【請求項１１】
前記スマート・カードには、ＳＩＭカードも含まれることを特徴とする請求項７に記載の方法。
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
マス・ストレージと加入者識別モジュールとを統合したモジュールであって、
フレームと、前記フレームによって支持されているマス・ストレージ装置と、
前記フレームによって支持されスマート・カードに取り外し可能な形式で接続するように適合している第１のコネクタと、
前記フレームによって支持され電気的に前記マス・ストレージ装置と前記第１のコネクタに接続され電子装置に取り外し可能な形式で接続するように適合している第２のコネクタと、
前記フレームによって支持され、前記第２のコネクタを介して情報を受信し、前記第１のコネクタを介して受信した情報に基づいて前記受信した情報を暗号化し、及び、前記マス・ストレージ装置に暗号化された前記受信した情報を記憶するように適合しているインターフェース回路と
を備えることを特徴とするモジュール。
【請求項２】
前記インターフェース回路は、前記マス・ストレージ装置から情報を取得し、前記第１のコネクタを介してスマート・カードから受信した情報に基づいて前記取得した情報を復号し、及び、前記取得した情報の前記復号に応じて前記第２のコネクタを介して通信するように適合していることを特徴とする請求項１に記載のモジュール。
【請求項３】
前記インターフェース回路は、第２のコネクタを介して復号された前記取得した情報を転送するように適合していることを特徴とする請求項２に記載のモジュール。
【請求項４】
前記インターフェース回路は、前記取得した情報を復号するためにエラーを検出し、及び、前記エラーの検出に応じて前記第２のコネクタを介してエラー・メッセージを転送するように適合していることを特徴とする請求項２に記載のモジュール。
【請求項５】
前記インターフェース回路はさらに、前記第１のコネクタに接続されているスマート・カード内の情報への前記第２のコネクタを介するアクセスを提供するよう適合していることを特徴とする請求項１に記載のモジュール。
【請求項６】
前記第１のコネクタは、前記フレームによって支持され電気的にＳＩＭカードと接続するように適合しており、
前記インターフェース回路は、前記マス・ストレージ装置に記憶された情報への前記第２のコネクタを介するアクセスを、前記第１のコネクタに接続されているＳＩＭカード内の情報に基づいて制御するように適合していることを特徴とする請求項１に記載のモジュール。
【請求項７】
スマート・カードと取り外し可能なマス・ストレージ及び加入者識別モジュールを接続するステップと、
前記取り外し可能なマス・ストレージ及び加入者識別モジュールと電子装置を接続するステップと、
前記マス・ストレージ及び加入者識別モジュールにおいて前記スマート・カードに記憶された第２の情報に基づいて第１の情報を復号し、前記復号した第１の情報を前記電子装置に送信することによって、前記第２の情報に基づいて前記電子装置から前記マス・ストレージ及び加入者識別モジュールに記憶されている前記第１の情報にアクセスするステップと
を有することを特徴とする方法。
【請求項８】
前記マス・ストレージ及び加入者識別モジュールにおいて前記第１の情報を復号するためにエラーを検出するステップと、
前記エラーの検出に応じて前記マス・ストレージ及び加入者識別モジュールからのエラー・メッセージを前記電子装置に転送するステップと
を有することを特徴とする請求項７に記載の方法。
【請求項９】
前記電子装置から前記マス・ストレージ及び加入者識別モジュールに第３の情報を転送するステップと、
前記第２の情報に基づいて前記マス・ストレージ及び加入者識別モジュールのマス・ストレージ装置に前記第３の情報を記憶するステップと
を有することを特徴とする請求項７に記載の方法。
【請求項１０】
前記第２の情報に基づいて前記マス・ストレージ及び加入者識別モジュールのマス・ストレージ装置に前記第３の情報を記憶するステップは、
前記第２の情報に基づいて前記第３の情報を暗号化するステップ
を有することを特徴とする請求項９に記載の方法。
【国際調査報告】
2010525632.tif 000012
2010525632.tif 000013